(57)【要約】【目的】多数の太陽熱受熱器を備えたタワー型太陽熱発電装置を提供することを目的とする。【構成】太陽熱エネルギーを利用する発電装置において、多数個の太陽熱受熱器（１）（２）（３）（４）・・・（ｎ）を、立設した支持塔へ、所定間隔をおいて、垂直方向の縦列多段に設け、その支持塔の基礎部（５３）から、前記太陽熱受熱器（１）（２）（３）（４）・・・（ｎ）を循環する圧力流体（Ｗ）を用いた発電システムへ連結したことを特徴とするタワー型太陽熱発電装置。【選択図】図１
2013024045.tif 000002
【特許請求の範囲】
【請求項１】
太陽熱エネルギーを利用する発電装置において、立設した支持塔へ、多数個の太陽熱受熱器（１）（２）（３）（４）・・・（ｎ）を、間隔をおいて、垂直方向の縦列多段に設け、その支持塔の基礎部（５３）に、前記太陽熱受熱器（１）（２）（３）（４）・・・（ｎ）を循環する圧力流体（Ｗ）を用いた発電システムを連結したことを特徴とするタワー型太陽熱発電装置。
【請求項２】
前記太陽熱受熱器（１）（２）（３）（４）・・・（ｎ）は、表面に多数のレンズ（６）をドーム状或いは略半球状に配し内部に反射面（７）を設けた中空円錐筒（８）で、太陽光（Ｒ）に向いた前記レンズ（６）及び前記反射面（７）からの内部集光位置に蓄熱体（９）を設け、その蓄熱体（９）の周囲にスパイラル状に巻き付く給熱管（１０）を設けたことを特徴とする請求項１記載のタワー型太陽熱発電装置。
【請求項３】
前記給熱管（１０）は、蓄熱体（９）から熱を受熱する圧力流体（Ｗ）を循環させる管体で、加熱加圧された圧力流体（Ｗ）で駆動するタービン（１１）に結合した発電機（１２）を設け、タービン（１１）から吐出された圧力流体（Ｗ）は、地熱冷却管（２０）にも接続された熱交換器（１７）で冷却し、冷却された圧力流体（Ｗ）はタンク（１８）に回収され、そのタンク（１８）から圧力流体（Ｗ）はポンプ（１９）の駆動で前記給熱管（１０）へ循環される発電システムの循環路を形成していることを特徴とする請求項２記載のタワー型太陽熱発電装置。
【請求項４】
前記各太陽熱受熱器（１）（２）（３）（４）・・・（ｎ）は、同型同寸法で、最上部の太陽熱受熱器（２）を管塔（５）の先端に設け、その下の各太陽熱受熱器（２）（３）（４）・・・（ｎ）は、管塔（５）が中心を貫通した形態であることを特徴とする請求項１又は請求項２のいずれかに記載のタワー型太陽熱発電装置。
【発明の詳細な説明】
【技術分野】
【０００１】
この発明は、限られた敷地空間で太陽熱エネルギーを受けるために、縦列多段に多数の太陽熱受熱器を設けたタワー型太陽熱発電装置に関する。
【背景技術】
【０００２】
従来の太陽熱エネルギーを用いた発電は、発電所とした広い敷地において、中心に集熱タワーを立設してその周囲に多数のミラー（平面鏡＝ヘリオスタット）を列設して集熱する大規模集熱システムがある（特許文献１：特開２００９−１９８１２０号公報  参照）。
この集熱システムでは、ヘリオスタット群に対し原則一機のみの太陽熱レシーバー（受熱器）が設置される。
このシステムでは広大な敷地と、集熱高温に適する巨大なタワーを構築することが必要である。
【０００３】
大規模集熱システムの考え方は、集熱したその熱で水を沸騰蒸気化しその圧力流体（圧力気体）を用いて発電機を回転させて発電する構想である。
【０００４】
又、太陽熱発電の集光装置には、様々な発想があるが、基本的にミラーでの集光であり、トラフ型、ディッシュ型などがある。
【０００５】
又、集光した光熱を効率よく利用するための太陽熱受熱器（レシーバー）には、Volumetric
Soalarといわれる容積式太陽熱レシーバー（受熱器）がある。
【０００６】
小規模の太陽熱利用システムでは、一般家屋での太陽熱エネルギーの利用に関するもので、屋根にパネル式の太陽熱温水器を設置して、利用するものが多い。
比較的小さな規模で太陽熱エネルギーを集熱するには、パネル式の集熱のほか、湾曲ミラーで集熱する湾曲ミラー方式のほか、耐熱ガラス或いはアクリル樹脂のレンズ光学式集熱や、レンズと光ファイバーを組み合わせた方式、特許文献２のような受光器（内面反射筒）の内部反射を利用して焦点に集熱する受光器方式がある。
【先行技術文献】
【特許文献】
【０００７】
【特許文献１】特開２００９−１９８１２０号公報
【特許文献２】特許第３１８４６６０号公報
【特許文献３】実用新案登録第３１５６３４４号
【発明の概要】
【発明が解決しようとする課題】
【０００８】
特許文献１に示された従来の太陽熱エネルギーを用いた集熱システムにおいては、熱回収技術や高効率での蒸気発生を達成しているが、多数のミラーの配置の都合で設置場所は限定され、平面的規模が大きくなるために土地空間利用の点で効率的ではない。
又、発電設備の土地面積や規模に比べて取出せるエネルギーは小さいという課題がある。
アジアのサンベルト地域の平原などには適しても、平原や平野のない地域には不適である。
例えば居住地区が近い陸上などでは光拡散や紫外線輻射などのリスクメンテナンスもあり、土地利用の観点から経済的採算が合わない課題もある。
更にその集熱を蓄熱利用しての発電では、余剰熱の処理、常温化への特別な冷却装置を設ける必要があり、発電システムが高価となる問題点があった。
【０００９】
この発明は、このような問題点を解消するためになされたものである。
第一に、狭い国土の陸上内で太陽熱エネルギー利用するためには、比較的立地面積を小さくできる発電所であることが時代的要請であること。
都市型の太陽熱エネルギー利用形態は設置場所に制約があり、広大な土地や面積は確保できないこと。
第二に、多少受光効率が減少しても、受光面を水平方向に拡大してゆくのではなく、狭い土地でも土地利用権が及ぶ範囲で受光面を求める垂直方向の構造にすること。
第三に、できれば、既設の構造物、タワータイプ構造物（送電鉄塔  高層ビルの非常階段  高層ビル壁面等）においてその立地を借用して利用できるものであること。
第四に、発電システムの工程には圧力流体の冷却工程があるが、その装置の設置も場所的制約にかかる要素である。そのため圧力流体を冷却するための特別な装置を設置しないこと。
を課題として、できる限り発電所構造物のための敷地を少なくして、土地を効率的に利用する方向で開発し、高い発電効率を得ることができる太陽熱を利用した発電システムに適合した仕組み装置を提供することを目的とする。
【課題を解決するための手段】
【００１０】
この発明は、太陽熱エネルギーを利用する発電装置において、立設した支持塔へ、多数個の太陽熱受熱器を、所定の間隔をおいて、垂直方向の縦列多段に設け、その支持塔の基礎部から前記太陽熱受熱器を循環する圧力流体（Ｗ）を用いた発電システムへ連結したことを特徴とするタワー型太陽熱発電装置である。
太陽熱受熱器（レシーバー）を一台ではなく多数設ける、
立設した支持塔とは、多数個の太陽熱受熱器を取り付けるタワー構造体を指す。
ここでは、後述する中心の管塔と４隅の支柱とその支柱を剛接合構造で連結する補助枠とで立設されたタワーを一例とする。
タワー型太陽熱発電装置のタワーは自立型ではあるが、既設構造物に垂直方向の空間があれば、その空間に組み込むことができる。
例えば送電鉄塔の支柱を利用した組み込みなどで、既設構造物を利用し、タワー型太陽熱発電装置を、既設構造物の支柱又は側壁に組み込んで実施することもできる。
【００１１】
管塔は支柱や補助枠で垂直に支持塔として構築され、その基礎部に発電システムを構築した発電建屋を設けている。
管塔の内部には圧力流体（Ｗ）を循環させる配管が通っている。
【００１２】
本発明において装備される太陽熱受熱器は、容積式のものを提示しており、表面に多数のレンズをドーム状或いは略半球状に配し内部に反射面を設けた中空円錐筒で、一点鎖線で示した太陽光（Ｒ）に向いたレンズ及び前記反射面からの内部集光位置に蓄熱体を設け、その蓄熱体の周囲にスパイラル状の給熱管を前記循環させる配管につないで設けたものである。
各太陽熱受熱器は、同型で同寸法の大きさで、中空円錐筒で外観は下方が細くなった形状である。
【００１３】
最上部の太陽熱受熱器は管塔の先端に設けているが、その下の太陽熱受熱器は、管塔が貫通した形態である。
その結果下位の太陽熱受熱器は若干受光面が少なくなっている。
受光量を増大するには、太陽熱受熱器の数を縦列に増やしたタワーにする構成や、多数の太陽熱受熱器を有するタワー自体を数台立設構築する構成がある。
【００１４】
給熱管は、水や液体空気  液体窒素など、圧力流体（Ｗ）を循環させる管体で、１個の太陽熱受熱器又は数個の太陽熱受熱器の蓄熱体をスパイラル状に巻き付いて受熱する配管で循環路である。
【００１５】
蓄熱体の周囲の給熱管は、太陽熱受熱器から垂直に下降する配管につながっており、圧力流体を循環させている。
【００１６】
発電のシステムとして、タービンに結合した発電機が設けられている。
高温加圧に加熱された圧力流体（Ｗ）は、タービンに送られ、圧力でそれを駆動し、タービンは発電機を駆動して発電する。
発電された電力は、蓄電池に蓄え、或いは送電する。
【００１７】
タービンから吐出された圧力流体（Ｗ）は、熱交換器で冷却し、冷却された圧力流体（Ｗ）はタンクに回収される。
このタンクからの圧力流体（Ｗ）はポンプの駆動で、配管へと送出され、循環される。
ポンプは、装備するモータを発電機からの給電で駆動し、圧力流体（Ｗ）を移送する。
【００１８】
圧力流体（Ｗ）は熱交換器で、冷却されるがその冷却は、地熱冷却管で補助される。
【００１９】
地熱冷却管は、施設土地内に垂直方向にボーリングされた地中に埋設され、タワーの管塔或いは支柱の建設時に深打形成される垂直方向の中空管体である。
圧力流体（Ｗ）の高温高圧をセンサーで検知して、地下冷温を吸引作動するもので、熱交換器の冷却機能を補助する。
1又は数個の太陽熱受熱器で加温された圧力流体（Ｗ）と熱交換し、上記圧力流体（Ｗ）を所定レベルに冷却する。
【００２０】
高温化された圧力流体（Ｗ）は、その圧力でタービンを駆動するが、日照の条件によっては高温化が安定しない場合がある。
このような場合の補助装置として、加温された圧力流体（Ｗ）をさらに加熱してタービンに送るため、タービンの入口直前に加熱器を配置する構成がある。
【発明の効果】
【００２１】
この発明に係る太陽熱エネルギーを用いたタワー型太陽熱発電装置は上記のように構成されて、次のような技術的効果がある。
（Ａ）施設土地面積が狭くても，その土地の上下方が利用できれば、縦列に太陽熱受熱器の数を増やすことで、施設面積に比してタワー高さ分をほぼ横臥した面積の太陽光線（Ｒ）の照射を受けることができる。
（Ｂ）垂直方向に多段で間隔をおいて縦列に配置された容積式の太陽熱受熱器を開発し、この太陽熱受熱器はいわゆる光熱を吸収するので、周辺への光反射はなく、又日照権の問題が生じにくい。
（Ｃ）垂直方向への受熱施設が主なものであるので、比較的立地面積を小さくできる発電所であり、自然エネルギーの地産地消が可能である。
（Ｄ）縦列多段式で受光効率が減少しても、既設の構造物、タワータイプ構造物（送電鉄塔  高層ビルの非常階段  高層ビル壁面等）においてその立地を借用して実施できる。
（Ｅ）圧力流体の加熱や冷却するための装置として、施設土地の範囲において地熱冷却管を垂直方向に設けたので、コンパクトになり、施設運用が経済的である。
（Ｆ）縦列に配置された容積式の太陽熱受熱器の循環路は一つであり、循環管理が簡易化できる
【図面の簡単な説明】
【００２２】
【図１】この発明の実施の形態１のシステム構成と装置を示す概略図である。
【図２】この発明の実施の形態である多段式に配置した太陽熱受熱器（１）（２）（３）を示すタワー型の構造体の概略図である。
【図３】この発明の実施の形態の太陽熱受熱器（１）（２）（３）を示す概略図である。
【図４】この発明の実施の形態の太陽熱受熱器の斜視概略図である。
【図５】この発明の実施の形態の太陽熱受熱器の断面構成を示す概略図である。
【図６】この発明の実施の形態２で、既設送電線鉄塔の内部に組み込んだ構成を示す概略図である。
【発明を実施するための形態】
【００２３】
この発明に係る太陽熱エネルギーを用いたタワー型太陽熱発電装置の実施形態１を説明する。
図１は、実施形態１のシステム装置全体構成を示す概略図である。
【００２４】
図１に示す実施形態１は、太陽熱エネルギーを受ける４台の太陽熱受熱器（１）（２）（３）（４）を、中心に立設された管塔（５）に所定の間隔（Ｑ）をおいて、垂直方向に縦列に多段に集熱装置を設けたタワー型の発電装置である。
タワー型太陽熱発電装置のタワーは自立型ではあるが、既設構造物に垂直方向の空間があれば、その空間に組み入れることができる。
【００２５】
太陽熱受熱器（１）（２）（３）（４）は、管塔（５）のリスクメンテナンスが許せば、４台に限らず、十数台も取り付けることが可能である。
各太陽熱受熱器は、同型で同寸法の大きさで、中空円錐筒で外観は下方が細くなった形状である。
【００２６】
図２の実施態様２に示すように、管塔（５）は、タワーの中心に設けた管体である。
管塔（５）は、４隅の支柱（５１）とその支柱（４１）をラーメン構造で連結する補助枠（５２）で垂直に構築されている。
全体がタワー構造体で、その基礎部（５３）で自立する。このタワー構造体がタワー型の支持塔となる。
実施態様１では、全長２７ｍの高さを想定して設計している。
支持塔とは、多数個の太陽熱受熱器を取り付けるもので、図２のような中心の管塔と４隅の支柱とその支柱を剛接合構造で連結する補助枠とで立設されたタワー構造体を一例とする。
基礎部（５３）にはその下に発電システムを構築した発電建屋（５４）を設けている。
【００２７】
管塔（５）の内部には圧力流体（Ｗ）を循環させる配管（１５）（１６）が通っている。
管塔（５）には、所定の間隔をおいて太陽熱受熱器（１）（２）（３）（４）が取り付けられる。
所定の間隔とは、太陽光が四季の通常の角度で照射するとき、太陽熱受熱器（１）（２）（３）（４）に万遍なく照射される間隔を指す。
後述の実施態様２では、１０，５ｍの間隔である。
【００２８】
この太陽熱受熱器（１）（２）（３）（４）は、容積式のものを提示しており、表面に多数のレンズ（６）を略半球状に配し、内部に反射面（７）を設けた中空円錐筒（８）を設け、一点鎖線で示した太陽光（Ｒ）に向いたレンズ（６）及び前記反射面（７）からの内部集光位置に蓄熱体（９）を設け、その蓄熱体（９）の周囲にスパイラル状の給熱管（１０）を前記循環させる配管（１５）（１６）につないで設けたものである。
【００２９】
図１では、概念説明のため給熱管（１０）のスパイラル形状を図示していないが、給熱管（１０）は図３、図５のように、各太陽熱受熱器（１）（２）（３）（４）の蓄熱体（９）の周囲に、熱を受けるべくスパイラル状に巻き付き接触している。
【００３０】
最上部の太陽熱受熱器（１）は管塔（５）の先端に設けているが、その下の太陽熱受熱器（２）（３）（４）は、管塔（５）が貫通した形態で、３台とも同間隔（Ｑ）をおいて取り付けている。
【００３１】
最上部に位置しない太陽熱受熱器（２）（３）（４）は、直上に位置する最上部の太陽熱受熱器（１）との関係では、太陽が直上にある場合は、太陽光が遮蔽される位置になる。
【００３２】
しかし、実際は直上に位置するのは一瞬で、直上以外は略球面状のレンズ（６）はすべて太陽光を受けうる位置になる。
つまり所定の間隔があれば、ドーム状或いは半球状の受光面をもつ形態であれば、縦列の多段でも受光量は確保できるものである。
【００３３】
又、実施形態１では、最上部に位置しない太陽熱受熱器（２）（３）（４）は、中央に管塔（５）が貫通している構成であるので、その部分にはレンズ（６）はなく、最上部の太陽熱受熱器（１）に比較して、その部分の受光面はない。
【００３４】
管塔（５）は、配管や高温化の効率のために中心に位置させたものである。
給熱管（１０）や配管（１５）（１６）を構成する循環路は、すべての太陽熱受熱器（１）（２）（３）（４）の蓄熱体（９）に接触し順次加熱される。
【００３５】
太陽熱受熱器（２）（３）（４）に貫通孔を形成して受光面を少なくすることが
不利な時は、貫通する管塔（５）を設けないで、外周の４隅の支柱（５１）を頑丈に構築し、これで支持して多段に各太陽熱受熱器（１）（２）（３）（４）・・・（ｎ）を設けることも可能である。
【００３６】
この場合でも直上からの太陽光は、次の太陽熱受熱器（２）（３）（４）に影をつくる。
【００３７】
このように影を作ってしまう縦列に太陽熱受熱器（１）（２）（３）（４）を配置する位置取りは、一見、不利な配置ではある。しかしその不利を超える施設利用面積を少なくする有利性がある。
【００３８】
太陽熱受熱器（１）（２）（３）（４）の直径は、実施態様１では、同型で、同寸法にしている。同寸法の直径を採用するのは、その寸法がその施設での適正の大きさ（設計上限界的大きさ）であることによる。
従って、適正寸法の直径に作製された最下位の太陽熱受熱器（４）より、その上の太陽熱受熱器を少し小さい寸法の太陽熱受熱器（３）にして、順次上部に配置することで、太陽光が直上から照射される場合でも下位の太陽熱受熱器の周縁に照射できる構成にすることはできる。
太陽光の当たる位置取りに太陽熱受熱器（１）（２）（３）（４）を自由位置（垂直縦列以外）に配置することは、コンパクトな縦列多段という本発明の発想からすると相容れない。
【００３９】
給熱管（１０）は、水や液体空気  ヘリウム  液体窒素など、圧力流体（Ｗ）を循環させる管体で１個の太陽熱受熱器（１）又は数個の太陽熱受熱器（１）（２）（３）（４）・・・（ｎ）の蓄熱体（９）をスパイラル状に巻き付き通過して、加熱されて圧力流体（Ｗ）をタービン（１１）に送る循環系配管である。
蓄熱体（９）の周囲の給熱管（１０）は、太陽熱受熱器（１）（２）（３）（４）から垂直に下降する配管（１５）（１６）につながっており、圧力流体（Ｗ）
を循環させている。
【００４０】
圧力流体（Ｗ）は、タンク（１８）からポンプ（１９）で送出加圧され、高温になった圧力流体（Ｗ）はさらに、太陽熱受熱器（４）へ送られ、太陽熱受熱器（３）から太陽熱受熱器（２）を通過し、太陽熱受熱器（１）へと順次かつ更に加熱され、１０００℃前後の高温に達してゆく。
【００４１】
太陽熱受熱器（１）で高温・高圧の圧力流体（Ｗ）になったガスは、タービン４を駆動し、動力を発生させる。
【００４２】
圧力流体（Ｗ）は、タービン（１１）から吐出され、熱交換器（１７）で所定レベルまで冷却し、冷却された圧力流体（Ｗ）はタンク（１８）に回収され、このタンク（１８）からの圧力流体（Ｗ）は、再びポンプ（１９）のパワーで配管（１６）につながって循環される。
熱交換器（１７）は、タンク（１８）からの配管（１６）と加熱された圧力流体（Ｗ）が送られる配管（１５）との間で行われる。
【００４３】
配管（１５）からの圧力流体（Ｗ）は熱交換器（１７）で、冷却されるがその冷却は、地熱冷却管（２０）で補助される。
タービン（１１）とポンプ（１９）と、発電機（１２）は機械的連結してもよく、或いはポンプ（１９）は発電機（１２）の発電を利用して駆動をモータで行なってもよい。
【００４４】
地熱冷却管（２０）は、施設土地内に垂直方向にボーリングされた地中に埋設され、タワーの管塔（５）或いは支柱（５１）の建設時に深打形成された垂直方向の中空管体である。
土中の冷温或いは地下水に接して熱交換器（１７）の冷却機能を補助するもので、1又は数個の太陽熱受熱器（１）（２）（３）（４）・・・で加温された圧力流体（Ｗ）と熱交換し、上記圧力流体（Ｗ）を所定レベルまで冷却する。
圧力流体（Ｗ）の高温高圧をセンサーで検知して、地下冷温を吸引作動するもので、熱交換器（１７）の冷却機能を補助する。
熱交換器（１７）は、地熱冷却管（２０）にも接続されている。
【００４５】
このタワー型太陽熱発電装置における配管（１５）（１６）などの循環路は、地上の管塔（５）内や発電建屋（５４）に設けられている。
圧力流体（Ｗ）などの循環路を、現場で土中に埋設する工程や現場施工のコストリスクなどを避けるためである。
【００４６】
因みに、熱交換器（１７）で冷却する工程に地熱冷却管（２０）組み合わせることで、土中に埋設する作業を省略でき、むしろ土中深く熱交換器を配置したのと同様な効果を得ることができるほか、施設のコンパクト化に有用である。
【００４７】
一方、高温化された圧力流体（Ｗ）は、その圧力でタービン（１１）を駆動し、このタービン（１１）に連結された発電機（１２）で発電する。
【００４８】
加温された圧力流体（Ｗ）をさらに加熱してタービン（１１）に送るには、受光量を増大すべく太陽熱受熱器（１）（２）（３）（４）・・（ｎ）の数を縦列に増やす構成や、タービン（１１）の直前に加熱器を配置する構成がある。
【００４９】
このように、圧力流体（Ｗ）の圧力は、タービン（１１）を回し、発電機（１２）を駆動して発電する。
発電された電力は、変電されて送電（１４）され、或いは蓄電池（１３）に蓄えられる。
【００５０】
圧力流体（Ｗ）は、水、液体空気、のほか、液体窒素、液体水素などの極低温流体でも可能である。
圧力流体（Ｗ）の物質によって循環路やタンク（１８）は、それに応じた設計になることは言うまでもない。
圧力流体（Ｗ）は、閉塞された循環路に封入されている。
【００５１】
圧力流体（Ｗ）が、水蒸気を循環させるものであるときは、水蒸気タービン入口温度は臨界温度に近い高温が必要となり、日照が不安定な時などはエネルギーの変換効率が低くなる。このような時は燃焼系の加熱器が補助として設置される。
【００５２】
液体空気を利用するときは、タンク（１８）からポンプ（１９）で循環路へ送出して、太陽熱受熱器（１）（２）（３）・・・で高温高圧ガスにしてタービン（１１）を回し、発電機を駆動するが、液体空気を補充する装置或いは作成する装置を併設することになる。
【００５３】
図２、図６は、３台の太陽熱受熱器（１）（２）（３）を多段に取り付けた比較的小規模な装置の実施態様２を示すものである。
図２は太陽熱受熱器（１）（２）（３）を備えたタワーに、発電システムを装備した発電建屋（５４）を設けたもので、自立するタワー型太陽熱発電装置である。
図６は、既設の送電鉄塔（２１）の内部に、本発明のタワー型太陽熱発電装置を装備した状態を示すものである。
このような組み込みは、高層ビルの側壁や、外付け避難階段などに後付けで建設できる。
【産業上の利用可能性】
【００５４】
本発明は、縦列多段に多数の太陽熱受熱器を設けたタワー型太陽熱発電装置であり、太陽熱受熱器が垂直方向に縦列に多数取り付けてある装置であるので、設置面積を問わないという利点がある。
巨大なタワーとすることも可能であり、太陽熱受熱器（１）（２）（３）（４）・・（ｎ）を有するタワー自体を数台立設構築するタワー群の構成も可能である。
逆に小規模でもよく、場所を選ばない自然エネルギー利用の発電装置としても利用できる。
都市型発電装置としての利用や、非常用の移動発電装置として発展性がある。
【符号の説明】
【００５５】
１…    太陽熱受熱器
２…    太陽熱受熱器
３…    太陽熱受熱器
４…    太陽熱受熱器
ｎ…    太陽熱受熱器
５…    管塔
５１      支柱
５２      補助枠
５３      基礎部
５４      発電建屋
６…    レンズ
７…    反射面
８…    中空円錐筒
９      蓄熱体
１０…    給熱管［循環路）
Ｗ        圧力流体
１１      タービン
１２      発電機
１３      蓄電池
１４      送電
１５…    配管
１６      配管
１７      熱交換器
１８…    タンク
１９      ポンプ
２０      地熱冷却管
２１      送電鉄塔
Ｒ        太陽光線
Ｑ        太陽熱受熱器と太陽熱受熱器の間隔
【図１】
2013024045.tif 000003
【図２】
2013024045.tif 000004
【図３】
2013024045.tif 000005
【図４】
2013024045.tif 000006
【図５】
2013024045.tif 000007
【図６】
2013024045.tif 000008